(57)【要約】【課題】水平軸風車のロータ回転中心部分における風速（ハブ風速）を容易かつ正確にしかも低コストで測定することができる水平軸風車の風況観測装置と、この風況観測装置を用いた水平軸風車の性能評価方法と、を提供する。【解決手段】水平軸風車のナセル３の風上側に突出させて設けられたブーム１０と、ブーム１０の先端部分に設けられたカップ型風速計２０と、ブーム１０の先端部分に設けられたベーン３０と、を備える風況観測装置である。また、水平軸風車のナセル３の風上側に前記風況観測装置を設け、カップ型風速計２０で風速を測定するとともにベーン３０で吹き上げ角を測定し、測定された吹き上げ角を用いてカップ型風速計２０で測定された風速を補正し、補正された風速を用いて水平軸風車の発電量を示す出力曲線群を作成することにより、水平軸風車の性能を評価する。【選択図】        図２
2005016417.tif 000002
【特許請求の範囲】
【請求項１】
水平軸風車のロータ回転中心部分における風況を観測する風況観測装置において、
前記水平軸風車のナセルの風上側に突出させて設けられた突出部と、
前記突出部の先端部分に設けられた風速計と、
前記突出部の先端部分に設けられた吹き上げ角測定手段と、を備えることを特徴とする水平軸風車の風況観測装置。
【請求項２】
所定の設置地に設置された水平軸風車の性能を評価する方法において、
前記水平軸風車のナセルの風上側に突出部を設け、この突出部の先端部分に風速計及び吹き上げ角測定手段を設ける風況観測装置取付工程と、
前記風速計で風速を測定する風速測定工程と、
前記吹き上げ角測定手段で吹き上げ角を測定する吹き上げ角測定工程と、
前記吹き上げ角測定手段で測定された吹き上げ角を用いて前記風速計で測定された風速を補正する風速補正工程と、
前記風速補正工程で補正された風速を用いて前記水平軸風車の発電量を示す出力曲線群を作成する出力曲線群作成工程と、を備えることを特徴とする水平軸風車の性能評価方法。
【発明の詳細な説明】
【０００１】
【発明の属する技術分野】
本発明は、水平軸風車の風況観測装置及び水平軸風車の性能評価方法に関する。
【０００２】
【従来の技術】
近年、自然風から電力を得る目的で水平軸風車が提案され、実用化されている。この水平軸風車の性能は、一般的に、ハブ風速（水平軸風車のロータ回転中心部分における風速：ｍ／ｓ）と出力（発電量：Ｗ）との関係を表す出力曲線で示される。そして、事前に観測・シミュレーションにより予測されたハブ風速と、前記した出力曲線と、に基づいて、売電事業の採算性に直結する発電量を予測している。
【０００３】
ここで、従来の水平軸風車には、ナセル上に制御用の風速計が設けられているが、このナセル上の風速計はロータやナセルの空力的な影響を受けるために正しい値を示さないので、ハブ風速の測定に使用するのは好ましくない。特に、国内の風力発電システムは地形が複雑な地点に設置される場合が多く、かかる地形においては、地表からの高さだけでなく位置によっても風速が変化するため、ナセル上の風速計によっては正確なハブ風速を計測することが困難である。
【０００４】
このため、水平軸風車のロータやナセルの空力的な影響を排除して、より正確なハブ風速を測定（推算）するために、以下のような方法を採用していた（例えば、非特許文献１参照。）。
【０００５】
（１）平坦地におけるハブ風速測定方法：
平坦地に設置された水平軸風車１００の近くに風況マスト２００を設置し、この風況マスト２００の先端に配置された風速計２１０により、水平軸風車１００のハブの高さとほぼ同じ位置で風速を計測し、これをハブ風速とみなす（図８参照）。
【０００６】
（２）非平坦地におけるハブ風速推算方法：
水平軸風車１００を設置する位置に風況マスト２００を設置するとともに、この風況マスト２００と高さの異なる位置に参照マスト３００を設置する（図９（ａ）参照）。そして、風況マスト２００の先端に配置された風速計２１０によって水平軸風車のハブの高さとほぼ同じ位置で風速を計測するとともに、参照マスト３００の先端に配置された風速計３１０で風速を計測し、両者の相関関係を求める。その後、水平軸風車１００設置後において、参照マスト３００の風速計３１０で計測された風速と、前記した相関関係と、を用いてハブ風速を推算する（図９（ｂ）参照）。
【０００７】
（３）平坦地におけるハブ風速推算方法：
平坦地に設置された水平軸風車１００の近くに参照マスト３００を設置するとともに、水平軸風車１００のナセルに風速計４００を配置する（図１０（ａ）参照）。そして、参照マスト３００の先端に配置した風速計３１０及び風速計４００によって各々風速を計測し、両者の相関関係を求める。そして、風速計４００で計測された風速と、前記した相関関係と、を用いてハブ風速を推算する（図１０（ｂ）参照）。
【０００８】
【非特許文献１】
ＪＩＳＣ１４００−１２、”風力発電システム−第１２部：風車の性能計測方法”、
［ｏｎｌｉｎｅ］、２００２年３月２０日、日本工業標準調査会、［平成１５年６月      １６日検索］、インターネット＜ＵＲＬ：ｈｔｔｐ：／／ｗｗｗ．ｊｉｓｃ．ｇｏ．ｊｐ＞
【０００９】
【発明が解決しようとする課題】
しかし、現在用いられている水平軸風車の大半はハブ高さが６０ｍを超えるものであるため、前記した（１）及び（２）の方法を採用すると、大規模な風況マスト２００を設置する必要があり、マスト本体の製作コストや設置コストが膨大となる。また、風況マスト２００の設置地を入手するための借地料等が必要となり、この点からもコストが嵩むこととなる。さらに、風況マスト２００の製作や設置に時間を要するため、ハブ風速の測定に時間がかかるという問題がある。
【００１０】
また、前記した（３）の方法を採用すると、気流の傾斜が顕著な場合（例えば、図１１（ａ）に示すように吹き上げ角を有する風が吹いた場合）には、ナセルの影響により、風速計４００による測定値に狂いが生じてしまう。このため、予め求めておいた相関関係を用いても、正確なハブ風速を推算することができない。また、吹き上げ角が不明であるため、風速計４００による測定値が低下した場合に、その測定値の低下が、実際の風速の低下によるものであるのか気流の傾斜（吹き上げ角）によるものであるのかを判別することができないという問題もある。かかる問題は、図１１（ｂ）に示したダウンウィンド型の水平軸風車を採用した場合においても同様に発生する。
【００１１】
本発明の課題は、水平軸風車のロータ回転中心部分における風速（ハブ風速）を容易かつ正確にしかも低コストで測定することができる水平軸風車の風況観測装置と、この風況観測装置を用いた水平軸風車の性能評価方法と、を提供することである。
【００１２】
【課題を解決するための手段】
以上の課題を解決するために、請求項１に記載の発明は、水平軸風車のロータ回転中心部分における風況を観測する風況観測装置において、前記水平軸風車のナセルの風上側に突出させて設けられた突出部と、前記突出部の先端部分に設けられた風速計と、前記突出部の先端部分に設けられた吹き上げ角測定手段と、を備えることを特徴とする。
【００１３】
請求項１に記載の発明によれば、ナセルの風上側に突出部を設け、この突出部の先端部分に設置した風速計により、ナセルの影響を受けない正確な風速を測定することができる。また、ナセルの風上側に設けた突出部の先端部分に設置した吹き上げ角測定手段により、吹き上げ角を測定することができる。
【００１４】
従って、これら測定された風速及び吹き上げ角を用いて、発電量の予測に用いられるハブ風速を容易に測定（推算）することができる。このため、ハブ風速を測定（推算）するために従来用いていた風況マストが不要となるので、マスト設置地の借地料やマスト本体の設置費用等を削減することができ、測定時間を短縮することもできる。また、測定された吹き上げ角を用いて、風速計で測定した風速を補正することにより、ハブ風速を正確に測定（推算）することができる。この結果、水平軸風車の性能評価に良好に寄与することができる。
【００１５】
請求項２に記載の発明は、所定の設置地に設置された水平軸風車の性能を評価する方法において、前記水平軸風車のナセルの風上側に突出部を設け、この突出部の先端部分に風速計及び吹き上げ角測定手段を設ける風況観測装置取付工程と、前記風速計で風速を測定する風速測定工程と、前記吹き上げ角測定手段で吹き上げ角を測定する吹き上げ角測定工程と、前記吹き上げ角測定手段で測定された吹き上げ角を用いて前記風速計で測定された風速を補正する風速補正工程と、前記風速補正工程で補正された風速を用いて前記水平軸風車の発電量を示す出力曲線群を作成する出力曲線群作成工程と、を備えることを特徴とする。
【００１６】
請求項２に記載の発明によれば、水平軸風車のナセルの風上側に設けられた風況観測装置を用いて、ナセルの影響を受けない正確な風速を測定するとともに吹き上げ角を測定する。そして、測定した吹き上げ角を用いて風速を補正し、この補正された風速を用いて水平軸風車の発電量を示す出力曲線群を作成して、発電量を正確に推算することができる。
【００１７】
従って、水平軸風車の発電量予測用のハブ風速を測定（推算）するために従来用いていた風況マストが不要となるので、マスト設置地の借地料やマスト本体の設置費用等を削減することができ、測定時間を短縮することもできる。また、測定された吹き上げ角を用いて、風速計で測定した風速を補正することができるので、より正確にハブ風速を推算することができる。この結果、水平軸風車の発電量を正確に予測することができ、水平軸風車の正確な性能評価が可能となる。
【００１８】
【発明の実施の形態】
以下、本発明の実施の形態を、図を用いて詳細に説明する。
【００１９】
なお、本実施の形態においては、風速計及び吹き上げ角計測手段を具備する風況観測装置が備えられる水平軸風車として、図１に示したダウンウィンド型の水平軸風車１を採用している。水平軸風車１は、タワー２と、このタワー２の頂部に取り付けられたナセル３と、このナセル３に略水平方向に延在して軸支された（図示されていない）主軸と、この主軸に取り付けられたロータ４と、を備えて構成されている（図１参照）。
【００２０】
まず、本実施の形態に係る水平軸風車の風況観測装置について説明する。風況観測装置は、水平軸風車１のロータ回転中心部分（ハブ）における風況を観測するものであり、図１に示した水平軸風車１のナセル３の風上側に所定長突出させて設けたブーム１０と、ブーム１０の先端近傍に設置されたカップ型風速計２０と、ブーム１０の先端近傍に設置されたベーン３０と、を備えて構成されている（図２及び図３参照）。
【００２１】
ブーム１０は、本発明における突出部であり、風速計２０及びベーン３０をナセル３の風上側に配置するための細長い円筒状部材である（図２参照）。ブーム１０の長さは、水平軸風車１のナセル３の大きさに応じて適宜決めるものとする。
【００２２】
カップ型風速計２０は、水平軸風車１のロータ回転中心部分に吹き付ける風をカップ２１が受けて回転し、その回転速度から風速を測定するものである（図３参照）。カップ型風速計２０の型式は特に限定されるものではなく、従来から用いられているものを際限なく採用することができる。例えば、Ｖａｉｓａｌａ社製のカップ型風速計、Ｔｈｉｅｓ社製のカップ型風速計、Ｒｉｓｏ研究所が設計したカップ型風速計、等を採用することができる（図６参照）。
【００２３】
ベーン３０は、本発明における吹き上げ角測定手段であり、水平軸風車１のロータ回転中心部分に吹き付ける風の吹き上げ角を測定するものである。なお、水平軸風車１に水平風が吹いた状態を図１（ａ）に示しており、水平軸風車１に吹き上げ風が吹いた状態を図１（ｂ）に示している。
【００２４】
カップ型風速計２０によって測定された風速（以下、「ブーム風速」という）と、ベーン３０によって測定された吹き上げ角と、水平軸風車１の発電量と、は図示されていないデータ処理部に送られて記録され、水平軸風車１の性能評価に用いられる。
【００２５】
次に、前記した風況観測装置を用いた水平軸風車１の性能評価方法について説明する。
【００２６】
まず、水平軸風車１のナセル３の風上側部分に、前記した風況観測装置（ブーム１０、カップ型風速計２０及びベーン３０）を取り付け（風況観測装置取付工程）、この水平軸風車１を平坦地に設置する。また、この水平軸風車１の近くに参照マスト４０を設置する（図４参照）。
【００２７】
次いで、参照マスト４０の先端に配置した風速計５０（図４参照）を用いて、水平軸風車１のハブ高さとほぼ同じ高さの水平成分の風速（以下、「実風速」という）を所定期間測定して、その測定結果を記録する。
【００２８】
また、水平軸風車１のナセル３の風上側に取り付けられたカップ型風速計２０を用いて、水平軸風車１のナセル３の風上側における風速（ブーム風速）を測定する（風速測定工程）。同時に、水平軸風車１の風上側に取り付けられたベーン３０を用いて、水平軸１のナセル３の風上側における吹き上げ角を測定する（吹き上げ角測定工程）。また、測定されたブーム風速と、このブーム風速が測定されたときの吹き上げ角と、に対応する水平軸風車１の発電量（以下、「風車出力」という）を、図示されていない発電量検出手段によって測定する。
【００２９】
なお、本実施の形態においては、カップ型風速計２０及びベーン３０を用いて、風速が変化する所定の期間（例えば一年間）連続的に、実風速（参照マスト４０の風速）、ブーム風速、吹き上げ角及び風車出力（水平軸風車１の発電量）を測定し、データ処理部に記録するようにした。これら実風速、ブーム風速、吹き上げ角及び風車出力の測定間隔は適宜決めることができ、本実施の形態においてはこの測定間隔を１０分間に設定している。
【００３０】
風速測定工程においてカップ型風速計２０で測定したブーム風速は、実風速と、ベーン３０で測定した吹き上げ角と、に基づいて補正される（風速補正工程）。この風速補正工程について、具体的に説明する。
【００３１】
一般的に、カップ型風速計２０で測定される風速は、ベーン３０によって測定される吹き上げ角に依存する。そして、風速と吹き上げ角との関係は、カップ型風速計２０の種類によって異なることが知られている。このため、採用したカップ型風速計２０の種類に応じて、図６に示したようなグラフを用いて、風速を補正する。
【００３２】
例えば、Ｒｉｓｏ研究所が設計したカップ型風速計２０を採用した場合において、測定されたブーム風速が８ｍ／ｓであり、このときの吹き上げ角が２０°であるとする。このブーム風速（８ｍ／ｓ）は、実際のブーム風速の約９／１０倍の値となることが図６から読み取れるため、以下のような補正計算を行って実際のブーム風速を求める。
８×（１０／９）≒８．９（ｍ／ｓ）
【００３３】
また、ベーン３０によって測定される吹き上げ角をθとし、カップ型風速計２０で測定され（前記したように補正され）たブーム風速にｃｏｓθを乗じて、ブーム風速の水平成分を求める。例えば、ブーム風速が１０ｍ／ｓであり、吹き上げ角θが３０°である場合には、ブーム風速の水平成分は以下のように算出される。なお、平坦地での所定の期間内における吹き上げ角θの平均値を、０°とする。
１０×ｃｏｓ３０°≒８．７（ｍ／ｓ）
【００３４】
次いで、風速測定工程で測定され、風速補正工程で補正された結果得られたブーム風速の水平成分と、このブーム風速の水平成分が測定されたときの吹き上げ角と、風車出力（水平軸風車１の発電量）と、の関係を示す出力曲線群を作成する（出力曲線群作成工程）。この出力曲線群作成工程について、具体的に説明する。
【００３５】
本実施の形態においては、まず、乱れ度のない場合におけるブーム風速の水平成分と、風車出力と、の相関関係を示す出力曲線群を、吹き上げ角毎に計算により作成する。図７は、このように計算により作成した出力曲線群を示すものである。そして、実測データを用いてこれら出力曲線群を修正することとしている。
【００３６】
最初に、平坦地において１０分間毎に測定されたブーム風速の水平成分と、風車出力と、に基づいて、吹き上げ角が０°の出力曲線を修正する。この際、１０分間毎の平均風速と風車出力との関係は、同じ風車においても風の乱れ度（標準偏差を平均風速で除した値）によりばらつくので、平均値を求め平均値を結んで、実測データに基づいた出力曲線群を作成する。そして、この実測データに基づいた出力曲線と、計算により求めた吹き上げ角０°の出力曲線（図７参照）と、から、計算値を修正する修正係数を求め、この修正係数を用いて他の吹き上げ角の出力曲線群を修正する。修正された他の吹き上げ角の出力曲線群は、傾斜地に将来設置される水平軸風車１の出力を推定する場合等に用いられる。
【００３７】
実際に水平軸風車１が設置される場所の地形は傾斜地が多く、また傾斜の程度は風向により異なるので、吹き上げ角は方位毎に変化する。こうした場所に設置する水平軸風車１にも、ブーム１０と、その先端部分に風速計２０と、ベーン３０と、を設ける。そして、ブーム風速と吹き上げ角と風車出力とを計測し、ブーム風速と吹き上げ角の１０分間毎の平均値と乱れ度を求め、同じ時間内の風車出力を求める。その後、平均風速及び平均吹き上げ角を算出するとともに平均風車出力を算出し、これらの値を使用して内挿又は外挿により必要な点の風車出力を推定し、図７に示すような、吹き上げ角をパラメータとした出力曲線群を作成していく。
【００３８】
初期においては、吹き上げ角０°の修正係数で修正された出力曲線群が作成されるが、水平軸風車１の設置数が増えるに従い、実測データに基づく吹き上げ角毎の出力曲線群が作成される。そして、吹き上げ角毎の出力曲線群に係るデータが蓄積されると、その蓄積されたデータに基づいて、新しく設置した風車が予期した性能を発揮していることを、参照マストを設置せずに確認することができる。また、蓄積されたデータは、今後設置する予定の風車の発電量や経済性をより正確に予測するのに使用することができる。
【００３９】
なお、ブーム風速と実風速との相関関係は、水平軸風車１の型式（タワー２やロータ４の形状・構造・制御）によって決定される。このため、同一の型式（形状・構造・制御）の水平軸風車１を複数設置する場合には、１台の水平軸風車１について求めた相関関係を用いて、参照マスト４０を設けることなく実風速を推算することができる（図５参照）。
【００４０】
以上説明した実施の形態に係る水平軸風車１の風況観測装置においては、ナセル３の風上側に設置したカップ型風速計２０により、ナセル３の影響を受けない正確な風速を測定することができる。また、ナセル３の風上側に設置した吹き上げ角測定手段であるベーン３０により、吹き上げ角を測定することができる。
【００４１】
従って、これら測定された風速及び吹き上げ角を用いて、発電量の予測に用いられるハブ風速（ブーム風速の水平成分）を容易に測定（推算）することができる。このため、ハブ風速を測定（推算）するために従来用いていた風況マスト２００（図８及び図９参照）が不要となるので、マスト設置地の借地料やマスト本体の設置費用等を削減することができ、測定時間を短縮することもできる。また、測定された吹き上げ角を用いて、カップ型風速計２０で測定した風速を補正することにより、ハブ風速を正確に測定（推算）することができる。この結果、水平軸風車１の発電量予測に良好に寄与することができる。
【００４２】
また、以上の実施の形態に係る水平軸風車１の性能評価方法においては、水平軸風車１のナセル３の風上側に設けられた風況観測装置を用いて、ナセル３の影響を受けない正確な風速を測定するとともに吹き上げ角を測定する。そして、測定した吹き上げ角を用いて風速を補正し、この補正された風速と出力との関係を所定期間連続的に取得して、これら風速と出力との相関関係を示す出力曲線群を作成することにより、水平軸風車１の正確な性能評価を実現させることができる。
【００４３】
また、実際に設置された水平軸風車１のナセル３の風上側に設けられた風況観測装置を用いて、信頼性に優れた事実上のデータを取得することができるので、水平軸風車１の設置地点における風況データ（観測値・シミュレーション結果）を用いて、発電量をきわめて正確に予測することができる。
【００４４】
なお、以上の実施の形態においては、風況観測装置のベーン３０によって、水平軸風車１のナセル３の風上側における吹き上げ角を測定した例を示したが、他の吹き上げ角測定手段を用いて、水平軸風車１のナセル３の風上側における吹き上げ角を測定し、この測定結果に基づいてブーム風速を補正することもできる。そして、この補正されたブーム風速を水平軸風車１の発電量予測に使用することができる。
【００４５】
また、以上の実施の形態においては、出力曲線を「吹き上げ角」毎に作成した例（図７参照）を示したが、出力曲線を「乱れ度」毎に作成し、この「乱れ度」毎に作成した出力曲線群に基づいて水平軸風車１の発電量を予測することもできる。さらに、「吹き上げ角」と「乱れ度」との組み合わせ毎に作成した出力曲線群に基づいて、水平軸風車１の発電量を予測することもできる。
【００４６】
【発明の効果】
請求項１に記載の発明によれば、ナセルの風上側に設置した風速計及び吹き上げ角計測手段により、ナセルの影響を受けない正確な風速を測定するとともに吹き上げ角を測定することができる。従って、これら測定された風速及び吹き上げ角を用いて、発電量の予測に用いられるハブ風速を容易かつ正確に測定（推算）することができる。また、ハブ風速の測定に従来用いられていた風況マストが不要となるので、マスト設置のための諸費用を削減することができ、測定時間を短縮することもできる。さらに、測定された吹き上げ角を用いて風速を補正することによりハブ風速を正確に測定（推算）することができ、水平軸風車の発電量予測に良好に寄与することができる。
【００４７】
請求項２に記載の発明によれば、水平軸風車のナセルの風上側に設けられた風況観測装置を用いて、ナセルの影響を受けない正確な風速を測定するとともに吹き上げ角を測定し、測定した吹き上げ角を用いて風速を補正し、この補正された風速を用いて水平軸風車の発電量を示す出力曲線群を作成して、水平軸風車の正確な性能評価を行うことができる。
【図面の簡単な説明】
【図１】本発明の実施の形態に係る風況観測装置が備えられた水平軸風車を示すものであり、（ａ）は水平軸風車に水平風が吹いた状態を示す概略図、（ｂ）は水平軸風車に吹き上げ風が吹いた状態を示す概略図である。
【図２】本発明の実施の形態に係る風況観測装置の構成を説明するための斜視図である。
【図３】図２のＩＩＩ部分の拡大図である。
【図４】本発明の実施の形態に係る風況観測装置が備えられた水平軸風車を平坦地に設置するとともに、その近くに参照マストを設置した状態を示す概略図である。
【図５】図４に示した状態から参照マストを省いた状態を示す概略図である。
【図６】カップ型風速計の種類とブーム風速と吹き上げ角との関係を示すグラフである。
【図７】ブーム風速と風車出力と吹き上げ角との関係を示すグラフである。
【図８】従来の平坦地におけるハブ風速測定方法を説明するための説明図である。
【図９】従来の非平坦地におけるハブ風速推算方法を説明するための説明図である。
【図１０】従来の平坦地におけるハブ風速推算方法を説明するための説明図である。
【図１１】図１０に示したハブ風速推算方法における問題点を説明するための説明図である。
【符号の説明】
１      水平軸風車
３      ナセル
４      ロータ
１０      ブーム（突出部）
２０      カップ型風速計（風速計）
３０      ベーン（吹き上げ角測定手段）
【図１】
2005016417.tif 000003
【図２】
2005016417.tif 000004
【図３】
2005016417.tif 000005
【図４】
2005016417.tif 000006
【図５】
2005016417.tif 000007
【図６】
2005016417.tif 000008
【図７】
2005016417.tif 000009
【図８】
2005016417.tif 000010
【図９】
2005016417.tif 000011
【図１０】
2005016417.tif 000012
【図１１】
2005016417.tif 000013